(57)【要約】      （修正有）【課題】洗浄布ロールを使用する現場で、簡単に、洗浄剤を含浸させることを可能とする湿式洗浄布ロール作成キットを提供する。【解決手段】湿式洗浄布ロール作成キットは、洗浄布ロール３０を収容するための第１の開口部２４と収容する洗浄布ロールへ含浸させる洗浄剤４０を流入させるための第２の開口部２６とを設けた容器１２と、前記容器１２に設けられたそれぞれの開口部２４，２６を閉塞する蓋１６，２０と、前記容器１２内へ流入させる洗浄剤４０を計量する漏斗１８とから成ることを特徴とする。【選択図】図１
0003110037.tif 000002
【実用新案登録請求の範囲】
【請求項１】
洗浄布ロールを収容するための開口部を設けた容器と、
前記容器に設けられた開口部を閉塞する蓋と、
前記容器内へ流入させて前記洗浄布ロールへ含浸させる洗浄剤を計量する洗浄剤計量手段とより成ることを特徴とする湿式洗浄布ロール作成キット。
【請求項２】
洗浄布ロールを収容するための第１の開口部と収容する洗浄布ロールへ含浸させる洗浄剤を流入させるための第２の開口部とを設けた容器と、
前記容器に設けられたそれぞれの開口部を閉塞する蓋と、
前記容器内へ流入させる洗浄剤を計量する洗浄剤計量手段とから成ることを特徴とする湿式洗浄布ロール作成キット。
【請求項３】
洗浄布ロールを収容するための第１の開口部と収容する洗浄布ロールへ含浸させる洗浄剤を流入させるための第２の開口部とを設けた容器と、
前記容器に設けられたそれぞれの開口部を閉塞する蓋とを有し、
前記容器の外面に凹陥部を形成し、当該凹陥部の低部に前記第２の開口部を設けたことを特徴とする湿式洗浄布ロール作成キット。
【請求項４】
前記凹陥部を階段状に形成し、最下段に前記第２の開口部を設けたことを特徴とする請求項３に記載の湿式洗浄布ロール作成キット。
【請求項５】
前記容器に設けられた洗浄布ロールを収容するための開口部に対して着脱自在な延長手段を備えたことを特徴とする請求項１乃至請求項３のいずれか１に記載の湿式洗浄布ロール作成キット。
【請求項６】
前記容器には、容器の寸法を変えるスライド調節機構を設けたことを特徴とする請求項１乃至請求項３のいずれか１に記載の湿式洗浄布ロール作成キット。
【請求項７】
前記容器には、容器の寸法を変える蛇腹部を設けたことを特徴とする請求項１乃至請求項３のいずれか１に記載の湿式洗浄布ロール作成キット。
【請求項８】
前記洗浄剤計量手段は、予め定められた容量の洗浄剤をパッケージされた交換部品であることを特徴とする請求項１又は請求項２に記載の湿式洗浄布ロール作成キット。
【考案の詳細な説明】
【技術分野】
【０００１】
本考案は、湿式洗浄布ロールの作成キットに係り、特に洗浄布ロールを使用する現場で湿式洗浄布ロールを作成する場合に好適な洗浄布ロール作成キットに関する。
【背景技術】
【０００２】
印刷機に配設されたブランケット胴やガイドローラ等のシリンダを洗浄するために洗浄布を用いる場合がある。シリンダの洗浄に洗浄布を用いる場合、一般的には巻芯に帯状の洗浄布を巻きつけた洗浄布ロールが使用される。洗浄布には、シリンダの汚れに対する払拭効果を高めるために、洗浄剤（液）が含浸される。
【０００３】
洗浄布に洗浄剤を含浸させて印刷機のシリンダを払拭洗浄することは、例えば特許文献１に開示されている。特許文献１には、印刷機に洗浄剤を貯留する容器を設け、当該容器に貯留した洗浄剤にシリンダに取り回された洗浄布の少なくとも一部が浸かるように構成したシステムが開示されている。また、特許文献１には、洗浄布に含浸させた洗浄剤の余剰分を絞るためのローラを設けるようにする構成が開示されている。そして、特許文献１では、このような洗浄布への洗浄剤の含浸を洗浄対象とする印刷機（現場）で行う旨開示している。
【特許文献１】特開平８−３００６３６号公報
【考案の開示】
【考案が解決しようとする課題】
【０００４】
特許文献１に開示されているシステム及び方法によれば、確かに洗浄布ロールを使用する現場であっても洗浄布に洗浄剤を含浸させることができると思われる。しかし、特許文献１に開示された方法を実施するためには、印刷機上の洗浄布を取り回す経路に、洗浄剤を含浸させるための手段（洗浄剤を貯留する容器、及び洗浄布を洗浄剤へ沈めるための沈下手段等）等の新たな設備を設ける必要がある。このため、新たな設備を設置するための設置スペースの確保が必要となる他、設備投資費もかさむこととなる。
本考案では、印刷機を改造する必要無く、洗浄布ロールを使用する現場で、簡単に、洗浄剤を含浸させることを可能とする湿式洗浄布ロール作成キットを提供することを目的とする。
【課題を解決するための手段】
【０００５】
特許文献１では、印刷機へ洗浄布を取り回した後に洗浄剤の含浸を行うため、印刷機に種々の設備を設ける必要が生じたものと考えられる。このため、洗浄布ロールに洗浄剤を含浸させた後に、印刷機への取り回しを行うようにすることで、上記課題を解決することができると考えられる。
【０００６】
そこで、本考案では、洗浄布ロールを収容するための開口部を設けた容器と、前記容器に設けられた開口部を閉塞する蓋と、前記容器内へ流入させて前記洗浄布ロールへ含浸させる洗浄剤を計量する洗浄剤計量手段とより成ることを特徴とする湿式洗浄布ロール作成キットを提供することとする。
【０００７】
また、上記目的を達成するための本考案に係る湿式洗浄布ロール作成キットは、洗浄布ロールを収容するための第１の開口部と収容する洗浄布ロールへ含浸させる洗浄剤を流入させるための第２の開口部とを設けた容器と、前記容器に設けられたそれぞれの開口部を閉塞する蓋と、前記容器内へ流入させる洗浄剤を計量する洗浄剤計量手段とから成ることを特徴とするものであっても良い。
【０００８】
また、上記目的を達成するための本考案に係る湿式洗浄布ロール作成キットは、洗浄布ロールを収容するための第１の開口部と収容する洗浄布ロールへ含浸させる洗浄剤を流入させるための第２の開口部とを設けた容器と、前記容器に設けられたそれぞれの開口部を閉塞する蓋とを有し、前記容器の外面に凹陥部を形成し、当該凹陥部の低部に前記第２の開口部を設けたことを特徴とするものであっても良い。
【０００９】
また、上記構成の湿式洗浄布ロール作成キットでは、前記凹陥部を階段状に形成し、最下段に前記第２の開口部を設ける構成とすると良い。
また、上記それぞれの構成の湿式洗浄布ロール作成キットには、前記容器に設けられた洗浄布ロールを収容するための開口部に対して着脱自在な延長手段を備えると良い。
【００１０】
また、前記延長手段に替えて、前記容器には、容器の寸法を変えるスライド調節機構を設けても良い。
さらに、前記延長手段に替えて、前記容器には、容器の寸法を変える蛇腹部を設けるようにしても良い。
また、上記構成の湿式洗浄布ロール作成キットにおいて、前記洗浄剤計量手段は、予め定められた容量の洗浄剤をパッケージされた交換部品としても良い。
【考案の効果】
【００１１】
上記構成の湿式洗浄布ロール作成キットによれば、洗浄布ロールを使用する現場で簡単に洗浄剤を含浸させることが可能となる。このため、洗浄布に洗浄剤を含浸させるために印刷機を改造する必要が無い。
また、容器の外面に凹陥部を形成し、これを階段状とすることで、容器と洗浄剤計量手段とを別々に用意する必要が無くなる。また、前記凹陥部を階段状に形成することによれば、凹陥部の各段を洗浄剤を計量する際の目安とすることができる。
【００１２】
また、容器に対して延長手段を備えるようにすることで、容器の長さ（幅）を洗浄布ロールの幅（長さ）に擬似的に合わせることが可能となる。また、容器に対してスライド調節機構や蛇腹部を設けた場合にも同様の効果を得ることができる。また、これにより容器は、様々なサイズの洗浄布ロールを収容することが可能となる。
また、洗浄剤計量手段をパッケージによる交換部品とすることにより、洗浄剤を計量する手間を省略することができる。
【考案を実施するための最良の形態】
【００１３】
以下、本考案の湿式洗浄布ロール作成キットに係る実施の形態について、図面を参照しつつ詳細に説明する。なお、以下に示す実施の形態は、本考案に係る一部の実施形態であり、本考案の技術的範囲は以下の形態のみに拘束されるものでは無い。
【００１４】
まず、図１を参照しつつ本考案の湿式洗浄布ロール作成キットに係る第１の実施形態について説明する。なお、図１において（Ａ）は湿式洗浄布ロール作成キットの斜視図を示し、（Ｂ）は湿式洗浄布ロール作成キットの正面断面図を示す。
【００１５】
本実施形態の湿式洗浄布ロール作成キット１０は、洗浄布ロール３０を収容するための容器１２と、前記容器１２に設けられた開口部２４，２６を閉塞する蓋１６，２０と、前記容器１２の内部へ流入させて前記洗浄布ロール３０へ含浸させる洗浄剤４０を計量する洗浄剤計量手段（漏斗）１８とを基本構成とする。
【００１６】
前記容器１２は、箱状とすれば良く、当該容器１２には印刷機のシリンダ洗浄に用いられる洗浄布ロール３０を長手方向に収容可能な収容空間２８が形成されている。また、前記収容空間２８における長手方向端部の一方には、洗浄剤４０を含浸させる洗浄布ロール３０を収容（挿入）するための開口部（第１の開口部）２４が形成されている。また、前記容器１２には、前記収容空間２８に対して洗浄剤４０を流入させるための開口部（第２の開口部）２６も形成されている。前記洗浄布ロール３０の収容空間２８は、収容する洗浄布ロール３０との隙間が規定値以下となるようにすると良い。このような構成とすることにより洗浄布ロール３０へ含浸させる洗浄剤４０に無駄が無くなり、適量の洗浄剤４０をムラ無く含浸させることができる。なお、当該容器１２は、洗浄布ロール３０を収容した後に洗浄布ロール３０を水平に保つことができる形状であると良い。これにより、洗浄布ロール３０へ含浸させた洗浄剤４０の片寄りによるムラが発生することを防止できる。
【００１７】
前記洗浄布ロール３０は、巻芯３２に帯状の洗浄布３４を巻きつけたものである。巻芯３２は一般的に紙（厚紙）によって形成された筒（円筒）であるが、形成材料及び形状の限定は無い。また、洗浄布３４はパルプ等から成る天然繊維や、アクリル，ポリエステル等から成る化学繊維、及びこれらの混合物によって形成されるものであり、織布、不織布など、用途によって種々の選択肢の中から好適なものが選択されて形成される。
【００１８】
前記蓋１６，２０は前記第１の開口部２４、前記第２の開口部２６のそれぞれに設けられている。蓋１６，２０としてはネジ式や栓（弁）式等様々な方式を挙げることができるが、本実施形態では、ネジ式の蓋１６，２０による螺合で開口部２４，２６を閉塞することとする。このため、前記開口部２４，２６及び蓋１６，２０には、雄ネジ又は雌ネジを形成する部位を設ける。なお、蓋として、いわゆる栓（弁）を採用した場合にはネジ部を形成する部位を設ける必要は無い。また、前記容器１２の内部には液状の洗浄剤（洗浄液）４０を流入させるため、蓋１６，２０と開口部２４，２６との間にはパッキン（図１（Ｂ）については不図示）１４，２２を介在させると良い。これにより、容器１２の内部へ流入された洗浄剤４０の漏れを防止することができる。
【００１９】
前記洗浄剤計量手段は、いわゆる計量カップ等であっても良いが、本実施形態では特殊漏斗１８を採用することとした。本実施形態で採用する漏斗１８は、その筒口部１８ａに弁１８ｂを設けたものである。前記弁１８ｂは、外部（図１（Ｂ）においては下方）からの力を受けることによって持上げられ、筒口部１８ａを開閉する構成としている。弁１８ｂの形成部材としては特に限定しないが、ゴムやシリコン等の柔軟性を持つ部材であると良い。なお、鋼材等によって弁１８ｂを形成する場合には、リンク機構等を採用し、パッキンを用いて漏れ防止を図ると良い。
【００２０】
上記のような構成の漏斗１８であれば、液状の洗浄剤４０を漏斗１８内に一時的に貯留することが可能となる。よって漏斗１８にて洗浄剤４０の量を計量することが可能となる。
【００２１】
本実施形態では前記第２の開口部２６に凸部を形成し、前記漏斗１８の筒口部１８ａを挿入した際に前記弁１８ｂが開かれるような構成とした。このような構成とすることにより、洗浄剤４０を計量した漏斗１８の筒口部１８ａを第２の開口部２６へ挿入するだけで、漏斗１８の弁１８ｂが開き、計量された洗浄剤４０を容器１２の内部へ流入させることができる。
【００２２】
本実施形態では、メッシュ素材のストレーナ３８を、いわゆる山高帽子のような形状に形成し、これを第２の開口部２６へ備えることにより、前記凸部を形成することとした。これによりストレーナ３８は、洗浄剤４０に含まれる異物を除去するという本来の作用の他、漏斗１８の弁１８ｂを開くといった作用をも奏することとなる。なお、メッシュ素材の平板に、突起部を設けたものであっても同様の作用を奏することができる。また、ストレーナとしてメッシュ素材の平板を採用した場合には、弁１８ｂの下面にピン（突起部）を備える構成としても同様の作用を奏することができる。
【００２３】
上記のような構成の湿式洗浄布ロール作成キット１０では、以下のようにして湿式洗浄布ロールを作成する。
まず、洗浄布ロール３０を前記第１の開口部２４より容器１２の内部へ収容する。なお、洗浄布ロール３０の巻芯３２が筒状である場合には、巻芯３２の両端にキャップ３６をして巻芯３２内の空間３２ａに洗浄剤４０が流入することを防止すると良い。これにより洗浄布３４へ含浸させる洗浄剤４０に無駄が生じなくなる。また、巻芯３２が紙で構成されている場合には、巻芯３２へ洗浄剤４０が含浸することにより巻芯３２の強度が低下してしまうといった自体を避けることができる。
【００２４】
洗浄布ロール３０を容器１２の内部へ収容した後、第１の開口部２４を蓋１６によって閉塞する。
漏斗１８によって前記洗浄布ロール３０へ含浸させる洗浄剤４０の量を計量する。なお、洗浄剤４０の量は、洗浄布ロール３０のサイズ、素材等によって予め定められているものとする。
【００２５】
規定量の洗浄剤４０を漏斗１８へ一時貯留した後、漏斗１８の筒口１８ａを容器１２に形成された第２の開口部２６へ挿入する。これにより漏斗１８の弁１８ｂはストレーナ３８によって押圧されて開放され、計量された量の洗浄剤４０が容器１２の内部へ流入する。漏斗１８内の洗浄剤４０が全て容器１２内へ流入した後、漏斗１８を引き抜き、第２の開口部２６を蓋２０で閉塞する。これにより容器１２を持ち運びする場合であっても流入させた洗浄剤４０が漏れ出す虞が無くなる。
【００２６】
容器１２内へ流入した洗浄剤４０は、容器１２内に収容されている洗浄布ロール３０の洗浄布３４へ吸収される。容器１２の収容空間２８と収容する洗浄布ロール３０との隙間は僅かなため、洗浄布ロール３０には規定量の洗浄剤４０をムラ無く含浸させることができる。なお、容器１２へ洗浄剤４０を流入させた後には、前記容器１２は水平に載置しておくことが望ましい。
【００２７】
上記のようにして洗浄布ロール３０へ洗浄剤４０を含浸させた後、第１の開口部２４の蓋１６を取り外し、洗浄剤４０を含浸させた洗浄布ロール（湿式洗浄布ロール）３０を取り出す。
作成された湿式洗浄布ロールは、洗浄を必要とする印刷機に取付けられて使用される。
【００２８】
上記のように使用される湿式洗浄布ロール作成キット１０によれば、印刷機を改造する必要が無く、洗浄布ロール３０に対して、現場で、簡単に洗浄剤４０を含浸させることが可能となる。
【００２９】
前記洗浄布３４は、印刷機の仕様によりその帯の幅が異なる。すなわち洗浄布ロール３０の長手方向の長さ（幅）は、洗浄布３４の帯幅によって異なるのである。このため、本実施形態の湿式洗浄布ロール作成キット１０には前記容器１２に対して着脱自在に構成された延長筒（延長手段）４２を備えることとした。これにより収容する洗浄布ロール３０の幅に合わせて擬似的に容器１２の長さ（幅）を変更することができることとなる（図２参照）。前記延長筒４２は、前記第１の開口部２４に接続可能な接続部４２ａと、前記第１の開口部２４と同じ形状に形成された接続部４２ｂとを有し、容器１２を延長した後に蓋１６によって開口部を閉塞可能な構成とされている。
このような構成の延長筒４２を備えることにより、容器１２は様々なサイズの洗浄布ロールを内部に収容することができるようになる。
【００３０】
また、容器１２には、前記延長筒４２を備える替わりに、スライド調節機構を備えてその寸法を変えられるような構成としても良い。具体的には、図示しないが、筒の一端を閉塞した箱状容器と、当該箱状容器の筒と相似形状の両端を開放した筒とを組合せ、前記箱状容器の内部に前記両端を開放した筒の少なくとも一部を収容可能な構成としたものである。このような構成とすることにより、前記筒の収容部分にあたる長さだけ容器の寸法を拡縮することができるようになる。なお、箱状容器と筒との間にあたるスライド部にはシール剤を施すなどして、スライド部から洗浄剤が漏れ出すことを防止すると良い。また、筒は一段だけでなく、多段としても良い。
また、容器１２には、前記延長筒４２や前記スライド調節機構を備える替わりに、蛇腹部を備えるようにしても良い。
【００３１】
前記洗浄剤計量手段は、洗浄布ロール３０のサイズ等に応じて予め計量された量の洗浄剤４０をパッケージした交換部品としても良い。洗浄剤計量手段をいわゆるカートリッジ型とすることにより、洗浄剤４０を計量する手間を省くことができ、計量の際に洗浄剤４０がこぼれるといった虞が無い。
【００３２】
具体的には、計量された洗浄剤４０を貯留する洗浄剤容器４４を形成し、その一部を筒口とする。前記洗浄剤容器４４に規定量の洗浄剤４０を貯留した後、前記筒口をフィルム等の容易に破損させることができる封止材４４ａで封止する。こうした場合、洗浄剤４０を流入させる第２の開口部２６に設けるストレーナ３８ａには棘状の部位を形成し、前記洗浄剤容器４４の筒口を第２の開口部２６に挿入することにより封止材４４ａが破損するようにすると良い。なお、洗浄剤容器４４に蓋を設け、蓋の開放により洗浄剤を流出可能とするものであっても良い。
【００３３】
次に、図４を参照して本発明の湿式洗浄布ロール作成キットに係る第２の実施形態について説明する。なお、図４において（Ａ）は湿式洗浄布ロール作成キットの正面断面図を示し、（Ｂ）はその部分拡大図を示す。
本実施形態の湿式洗浄布ロール作成キットの基本的構成、及び付加的構成は、第１の実施形態の湿式洗浄布ロール作成キットと同様である。よってその機能を同様とする箇所には、図面の符号に１００を加えた数を付して詳細な説明を省略することとする。本実施形態の湿式洗浄布ロール作成キット１１０は、洗浄剤計量手段を容器に一体化させたことが、第１の実施形態における洗浄布ロール作成キット１０と異なる。
【００３４】
具体的には、容器１１２の外面（を載置した際の上面）に凹陥部１５０を形成し、これを洗浄剤計量手段とし、前記凹陥部１５０の底部に洗浄剤４０を容器１１２へ流入させるための孔（第２の開口部）１２６を設けたのである。ここで本実施形態では前記凹陥部１５０を階段状に形成し、最下段に孔１２６を設ける構成とした。このような構成とすることにより、前記凹陥部１５０の各段を目安として洗浄剤４０の計量を行うことができる。
【００３５】
本実施形態では、前記孔１２６を閉塞する蓋として、リンク機構を用いた弁１５２を採用し、弁１５２にはパッキン１５２ｂを付帯させることで計量時における洗浄剤４０の漏れの防止を図ることとした。前記弁１５２の下面には、容器１１２の内部へ垂下する垂下部１５２ａを形成した。前記垂下部１５２ａは、図４（Ｂ）に示すように、容器１１２の内部に収容する洗浄布ロール３０と干渉するような構成とする。前記弁１５２は、容器１１２における第１の開口部１２４側にリンク機構を備える。そして、前記垂下部１５２ａが前記第１の開口部１２４側からの力を受けた場合には、前記垂下部１５２ａは上方へ押し上げられる。これに伴い、前記弁１５２はリンク機構によって第１の開口部１２４と反対側が押し上げられるため、孔１２６が開放される。
【００３６】
上記のような弁１５２によれば、容器１１２の内部へ洗浄布ロール３０を挿入（収容）することに連動させて弁１５２を開放することができる。
このような構成の湿式洗浄布ロール作成キット１１０では、まず洗浄剤４０を含浸させる洗浄布ロール３０に適した洗浄剤４０の量を洗浄剤計量手段によって計量する。
【００３７】
その後、第１の開口部１２４から洗浄布ロール３０を容器１１２の内部へ挿入し蓋１１６を閉める。洗浄布ロール３０を容器１１２の内部へ挿入することにより、洗浄剤計量手段の最下段に設けられた孔１２６の弁１５２が開放され、洗浄剤４０が容器１１２の内部へ流入する。このため、洗浄剤４０は第１の開口部１２４を蓋１１６で閉塞する前に容器１１２の内部へ流入することとなるが、容器１１２の内部へ流入した洗浄剤４０は、適宜洗浄布ロール３０の洗浄布３４へ吸収されると共に、印刷機のシリンダ洗浄に用いられる洗浄剤４０は一般的に油分を含み、水に比べて粘度が高いため、円滑に作業を進める上では洗浄剤４０が第１の開口部１２４から漏れ出す虞は無い。
本実施形態のような湿式洗浄布ロール作成キット１１０であっても、印刷機を改造すること無く、洗浄布ロール３０に対して、現場で、簡単に洗浄剤４０を含浸させることが可能となる。
【００３８】
前記孔１２６を閉塞する蓋に関しては、図５に示すような構成としても良い。図５に示すものは蓋として鋼球１５４を採用したものである。孔１２６の開閉原理は上記弁１５２の場合と同様で、鋼球１５４の一部が容器１１２内部の収容空間１２８にはみ出すように設定し、洗浄布ロール３０の出し入れによって前記鋼球１５４が上下方向へ移動して開閉動作が成されるようにしている。孔１２６の蓋をこのような構成とすることによれば、上記弁１５２を用いたものに比べて構成が簡単になり製造コスト等を削減することができる。
【００３９】
また、蓋として鋼球１５４を採用する場合には、洗浄剤４０の漏れ防止を図るために、孔１２６の周囲にゴム等の柔軟性を有する部材（柔軟性部材１５６）を被覆することが望ましい。なお、鋼球１５４の代わりにゴム等で形成した球を採用しても良い。この場合には孔１２６の周囲に柔軟性を有する部材を被覆する必要性は無い。
【００４０】
なお、本実施形態において、前記洗浄剤計量手段の形状としては、目盛を設けたスロープ状（漏斗型）としても良い。また、本実施形態における第２の開口部（孔）１２６は、長孔やスリットとしても良い。さらに図４からも読み取れるように孔１２６は一つであることを要さない。よって、必要に応じて、洗浄布ロール３０の幅にあわせてさらに複数の孔１２６を形成し、洗浄剤４０の含浸効率を高めるようにしても良い。
【００４１】
上記実施形態においてはいずれも、容器１２，１１２は箱状として図面等に記載した。しかしながら、洗浄剤４０の含浸後、あるいは含浸中の洗浄布ロール３０を水平配置可能であれば、袋状としても良い。
また、上記実施形態ではいずれも容器１２，１１２に対して、第１の開口部２４，１２４から洗浄布ロール３０を挿入し、第２の開口部２６，１２６から洗浄剤４０を流入させる構成としている。しかしながら、容器に設ける開口部は第１の開口部のみとし、当該第１の開口部から洗浄布ロール３０の挿入と洗浄剤４０の流入との両方を行うようにしても良い。この場合、第１の開口部に対して蓋をした後に、収容した洗浄布ロール３０が水平となるように容器を載置すると良い。
【図面の簡単な説明】
【００４２】
【図１】本考案の湿式洗浄布ロール作成キットに係る第１の実施形態を示す図である。
【図２】容器に対して延長筒を備える場合の例を示す図である。
【図３】洗浄剤計量手段をカートリッジ型とした場合の例を示す図である。
【図４】本考案の湿式洗浄布ロール作成キットに係る第２の実施形態を示す図である。
【図５】第２の実施形態における応用例を示す図である。
【符号の説明】
【００４３】
１０………湿式洗浄布ロール作成キット、１２………容器、１４………パッキン、１６………蓋、１８………漏斗（洗浄剤計量手段）、２０………蓋、２２………パッキン、２４………第１の開口部、２６………第２の開口部、２８………収容空間、３０………洗浄布ロール、３２………巻芯、３４………洗浄布、３６………キャップ、３８………ストレーナ、４０………洗浄剤（洗浄液）。
【図１】
0003110037.tif 000003
【図２】
0003110037.tif 000004
【図３】
0003110037.tif 000005
【図４】
0003110037.tif 000006
【図５】
0003110037.tif 000007